(57)【要約】【課題】乗り物用エクササイズシステム、乗り物においてエクササイズを監視する方法、およびエクササイズ監視装置の提供【解決手段】乗り物用エクササイズシステムは、少なくとも一つの座席および操舵輪を含む一つ以上の内部構造を含む乗り物と通信するように構成されたエクササイズ監視装置を含む。少なくとも一つのエクササイズ監視装置は、一つ以上の内部構造において実施される一つ以上のエクササイズ動作を検出し、検出された一つ以上のエクササイズ動作に基づいて乗り物を作動させる、ように構成された処理回路機構を含む。処理回路機構は更に、検出された一つ以上のエクササイズ動作の一つ以上の生理学的パラメータを監視し、一つ以上の生理学的パラメータに基づいて将来のエクササイズ動作に関する推奨案を決定し、一つ以上の生理学的パラメータおよび決定された推奨案に対応する一つ以上の通知を出力する、ように構成される。【選択図】図１
2020185989.tif 000002
【特許請求の範囲】
【請求項１】
乗り物用エクササイズシステムであって、
少なくとも一つの座席および操舵輪を含む一つ以上の内部構造を含む乗り物と通信するように構成された少なくとも一つのエクササイズ監視装置
を備え、上記少なくとも一つのエクササイズ監視装置は処理回路機構を含み、上記処理回路機構は、
上記一つ以上の内部構造において実施される一つ以上のエクササイズ動作を検出し、
上記検出された一つ以上のエクササイズ動作に基づいて上記乗り物を作動させ、
上記検出された一つ以上のエクササイズ動作の一つ以上の生理学的パラメータを監視し、
上記一つ以上の生理学的パラメータに基づいて、将来のエクササイズ動作に関する推奨案を決定し、
上記一つ以上の生理学的パラメータおよび上記決定された推奨案に対応する一つ以上の通知を出力する、
ように構成される、乗り物用エクササイズシステム。
【請求項２】
上記乗り物は、自動車、トラック、バン、または、スポーツユーティリティ車である、請求項１記載の乗り物用エクササイズシステム。
【請求項３】
上記検出された一つ以上のエクササイズ動作は、自転車漕ぎ動作、ボート漕ぎ動作、脚部の引き上げ動作、前後への操舵輪の押し引き動作、上半身を反らす動作、腹筋の収縮動作、懸垂動作、および、ランニング動作のうちの少なくとも一つを含む、請求項１記載の乗り物用エクササイズシステム。
【請求項４】
上記少なくとも一つの座席および上記操舵輪は、静的モードおよびスプリング負荷モードの少なくとも一方において上記検出された一つ以上のエクササイズ動作を実施するように構成される、請求項１記載の乗り物用エクササイズシステム。
【請求項５】
上記一つ以上の生理学的パラメータは、心拍数、血圧および呼吸速度のうちの少なくとも一つを含む、請求項１記載の乗り物用エクササイズシステム。
【請求項６】
上記エクササイズ監視装置は、上記検出された一つ以上のエクササイズ動作に基づいて上記乗り物の操舵制御、加速制御および減速制御のうちの少なくとも一つを作動させるように構成された複数のアクチュエータを更に備える、請求項１記載の乗り物用エクササイズシステム。
【請求項７】
上記回路機構は更に、上記少なくとも一つの座席、上記操舵輪、および、運転者により装着可能な少なくとも一つのデバイスのうちの少なくとも一つに配置された一つ以上の物理的接触センサを介して上記一つ以上の生理学的パラメータを検出するように構成される、請求項１記載の乗り物用エクササイズシステム。
【請求項８】
上記推奨された将来のエクササイズ動作は、上記検出された一つ以上のエクササイズ動作を停止または変更するとの推奨案である、請求項１記載の乗り物用エクササイズシステム。
【請求項９】
上記一つ以上の通知は、上記少なくとも一つのエクササイズ監視装置と通信するグラフィックディスプレイを介して視覚的に、且つ、少なくとも一つのスマートメニュー装置と通信するスピーカを介して聴覚的に、出力される、請求項１記載の乗り物用エクササイズシステム。
【請求項１０】
乗り物においてエクササイズを監視する方法であって、
少なくとも一つのエクササイズ監視装置の処理回路機構を介して、上記乗り物の一つ以上の内部構造において実施される一つ以上のエクササイズ動作を検出する段階と、
上記検出された一つ以上のエクササイズ動作に基づき、上記回路機構を介して、上記乗り物を作動させる段階と、
上記回路機構を介し、上記検出された一つ以上のエクササイズ動作の一つ以上の生理学的パラメータを監視する段階と、
上記一つ以上の生理学的パラメータに基づいて、将来のエクササイズ動作に関する推奨案を決定する段階と、
上記一つ以上の生理学的パラメータおよび上記決定された推奨案に対応する一つ以上の通知を出力する段階と、
を備える方法。
【請求項１１】
上記乗り物は、自動車、トラック、バン、または、スポーツユーティリティ車である、請求項１０記載の方法。
【請求項１２】
上記検出された一つ以上のエクササイズ動作は、自転車漕ぎ動作、ボート漕ぎ動作、脚部の引き上げ動作、前後への操舵輪の押し引き動作、上半身を反らす動作、腹筋の収縮動作、懸垂動作、および、ランニング動作のうちの少なくとも一つを含む、請求項１０記載の方法。
【請求項１３】
上記乗り物は、静的モードおよびスプリング負荷モードの少なくとも一方において上記検出された一つ以上のエクササイズ動作を実施するように構成された少なくとも一つの座席および操舵輪の少なくとも一方を含む、請求項１０記載の方法。
【請求項１４】
上記一つ以上の生理学的パラメータは、心拍数、血圧および呼吸速度のうちの少なくとも一つを含む、請求項１０記載の方法。
【請求項１５】
上記検出された一つ以上のエクササイズ動作に基づいて上記乗り物の操舵制御、加速制御および減速制御のうちの少なくとも一つを作動させる段階を更に備える、請求項１０記載の方法。
【請求項１６】
上記少なくとも一つの座席、上記操舵輪、および、運転者により装着可能な少なくとも一つのデバイスのうちの少なくとも一つに配置された一つ以上の物理的接触センサを介して上記一つ以上の生理学的パラメータを検出する段階を更に備える、請求項１０記載の方法。
【請求項１７】
上記推奨された将来のエクササイズ動作は、上記検出された一つ以上のエクササイズ動作を停止または変更するとの推奨案である、請求項１０記載の方法。
【請求項１８】
上記一つ以上の通知は、上記少なくとも一つのエクササイズ監視装置と通信するグラフィックディスプレイを介して視覚的に、且つ、少なくとも一つのスマートメニュー装置と通信するスピーカを介して聴覚的に、出力される、請求項１０記載の方法。
【請求項１９】
エクササイズ監視装置であって、
処理回路機構
を具備し、上記処理回路機構は、
一つ以上のエクササイズ動作を検出し、
上記検出された一つ以上のエクササイズ動作に基づいて少なくとも一台の乗り物を作動させ、
上記検出された一つ以上のエクササイズ動作の一つ以上の生理学的パラメータを監視し、
上記一つ以上の生理学的パラメータに基づいて、将来のエクササイズ動作に関する推奨案を決定し、
上記一つ以上の生理学的パラメータおよび上記決定された推奨案に対応する一つ以上の通知を出力する、
ように構成される、エクササイズ監視装置。
【請求項２０】
上記検出された一つ以上のエクササイズ動作に基づいて上記乗り物の操舵制御、加速制御および減速制御のうちの少なくとも一つを作動させるように構成された複数のアクチュエータを更に備える、請求項１９記載のエクササイズ監視装置。
【発明の詳細な説明】
【背景技術】
【０００１】
本明細書において提供される「背景技術」の記載は、本開示内容の状況を概略的に呈示するためのものである。この背景技術の部分に記載される限りにおいて、本願願書に記載の発明者の業績又は文献を、出願の時点における先行技術として別途認定されないかもしれない記載の解釈とともに、明示的にも暗示的にも、本開示内容に対する先行技術として自認しない。
【０００２】
眠気、倦怠感、および、座りがちな状態に直面する運転者は、道路上で危険であり得る。これらの運転者は、他者に対して危険を引き起こす。と言うのも、その注意が車両の運転に集中されないからである。斯かる状態はまた、運転者自身に対する問題も引き起こす。と言うのも、これらの状態が運転者の健康に悪影響を及ぼすからである。運転者の健康および安全性、ならびに、道路上における他者の安全性を促進することが好適である。
【０００３】
現在、車両の内部に配置されて運転者のエクササイズ動作を促進するシステムがある。たとえば、特許文献１において、システムは、道路上において運転者の眠気に対処する。別の例において、特許文献２において、システムは、道路上で運転者が感じ得る倦怠感に対処する。運転者にとって、自身が内部に置かれた車両を運転し続けながらエクササイズを行い得ることは、有用であろう。
【先行技術文献】
【特許文献】
【０００４】
【特許文献１】米国特許第８，０９８，１６５Ｂ２号
【特許文献２】米国特許第７，９８２，６２０Ｂ２号
【発明の概要】
【発明が解決しようとする課題】
【０００５】
運転者が疲労または倦怠感を感じたときに運転者に通知しようとする双方向眠気監視システムが乗り物内に存在している。これらのシステムは、運転者の位置を監視すると共に、運転者が乗り物の運転に対する集中を喪失した時点を決定する。上記眠気監視システムは、運転者の疲労に対処すると共に、能動的に斯かる疲労を低減するようにしている。しかし、上記眠気監視システムは、眠気減少の作用を実施している間に、ユーザが乗り物を効果的に運転することを可能にしない。
【課題を解決するための手段】
【０００６】
例示的見地において、乗り物用エクササイズシステムは、少なくとも一つの座席および操舵輪を含む一つ以上の内部構造を含む乗り物と通信するように構成された少なくとも一つのエクササイズ監視装置を含む。上記少なくとも一つのエクササイズ監視装置は処理回路機構を含み、上記処理回路機構は、上記一つ以上の内部構造において実施される一つ以上のエクササイズ動作を検出し、上記検出された一つ以上のエクササイズ動作に基づいて上記乗り物を作動させる、ように構成された処理回路機構を含む。上記処理回路機構は更に、上記検出された一つ以上のエクササイズ動作の一つ以上の生理学的パラメータを監視し、上記一つ以上の生理学的パラメータに基づいて、将来のエクササイズ動作に関する推奨案を決定し、上記一つ以上の生理学的パラメータおよび上記決定された推奨案に対応する一つ以上の通知を出力する、ように構成される。
【０００７】
例示的な実施形態に関する上述の概略的な説明、および、以下の詳細な説明は、本開示内容の教示の単なる例示的な見地であり、限定的なものではない。
【０００８】
本開示内容およびそれに付随する多くの利点は、添付図面に関連付けて検討したときに以下の詳細な説明を参照することによりよく理解されることになるので、容易により完全に理解されるであろう。
【図面の簡単な説明】
【０００９】
【図１】幾つかの見地に係る、乗り物を制御するためのエクササイズシステムの例示的概略図である。
【図２】幾つかの見地に係る、エクササイズシステムのデータワークフローの例示的概略図である。
【図３】幾つかの見地に係る、エクササイズ動作検出および応答プロセスのアルゴリズム的フローチャートである。
【図４】幾つかの見地に係る、生理学的パラメータ監視および応答プロセスのアルゴリズム的フローチャートである。
【図５】幾つかの例示的見地に係る、エクササイズ監視装置のハードウェアブロック図である。
【図６】幾つかの例示的見地に係る、データ処理システムのハードウェアブロック図である。
【図７】幾つかの例示的見地に係る、ＣＰＵのハードウェアブロック図である。
【発明を実施するための形態】
【００１０】
図面において、幾つかの図を通し、同様の参照番号は、同一のまたは対応する部材を表している。更に、本明細書中で用いられるように、「一つの（ａ）」、「一つの（ａｎ）」、および、同様の語句は、概略的に、別様に述べられるのでなければ、「一つ以上の」という意味を有している。
【００１１】
図１は、本開示内容の幾つかの見地に係る、乗り物または車両または輸送体を制御するためのエクササイズシステム１００の例示的概略図である。乗り物を制御するためのエクササイズシステム１００は、乗り物１０２、エクササイズ監視装置１０４、および、ネットワーク１１２を含んでいる。乗り物を制御するためのエクササイズシステム１００は、乗り物１０２において実施されたエクササイズ動作を検出し、エクササイズ動作に基づいて乗り物１０２を操作し、エクササイズ動作を実施しているユーザ１１０の生理学的パラメータを監視し、上記生理学的パラメータに基づいてエクササイズ動作の推奨案を提供する、ように構成される。
【００１２】
乗り物１０２は、ネットワーク１１２を介してエクササイズ監視装置１０４と通信すると共に、座席１０６、操舵輪１０８、および、ユーザ１１０を含んでいる。乗り物１０２には、自動車、トラック、バン、スポーツユーティリティ車などが含まれ得る。乗り物１０２は、エクササイズ監視装置１０４の処理回路機構により制御され得る。本開示内容の幾つかの見地において、乗り物１０２は、ユーザ１１０の手動制御と組み合わされて、ネットワーク１１２を介してエクササイズ監視装置１０４の回路機構により制御され得る。他の見地において、乗り物１０２は、自律的であるように、且つ、ネットワーク１１２を介してエクササイズ監視装置１０４から作動命令を受信するように、構成され得る。
【００１３】
エクササイズ監視装置１０４は、ネットワーク１１２を介して乗り物１０２と通信する。エクササイズ監視装置１０４は、エクササイズ動作を検出するように、且つ、エクササイズ動作に基づいて乗り物１０２を作動させるように構成された、処理回路機構を含む。エクササイズ監視装置１０４は、エクササイズ動作の訓練用実例を記憶するように構成されたメモリを含み得る。上記訓練用実例は、エクササイズ監視装置１０４の処理回路機構によりアクセスされることで、実施されているエクササイズ動作を回路機構が検出することを支援し得る。エクササイズ監視装置１０４の上記回路機構は、ユーザ１１０の動きをメモリに記憶されたエクササイズ動作の訓練用実例と比較するように構成され得る。上記エクササイズ動作は、ユーザ１１０により実施され得る。ユーザ１１０は、乗り物１０２の座席１０６および操舵輪１０８と相互作用して上記エクササイズ動作を実施し得る。上記エクササイズ動作には、自転車漕ぎ動作、ボート漕ぎ動作、脚部の引き上げ動作、操舵輪１０８の前後移動動作、腹筋の緊張動作、懸垂動作、ランニング動作などが含まれ得る。エクササイズ動作検出およびエクササイズ動作決定のプロセスは、本明細書において更に説明される。
【００１４】
エクササイズ監視装置１０４の回路機構は更に、エクササイズ動作を実施しているユーザ１１０の生理学的パラメータを監視するように、且つ、生理学的パラメータに基づいてエクササイズ動作の推奨案を提供するように、構成され得る。上記生理学的パラメータには、心拍数、血圧、呼吸速度などが含まれ得る。エクササイズ監視装置１０４の回路機構は、監視された生理学的パラメータを所定のしきい値と比較する。上記回路機構は、生理学的パラメータの各々に対するしきい値を含み得る。上記しきい値は、対応する生理学的パラメータに応じて、下限値、上限値、および／または、範囲であり得る。更に、各生理学的パラメータは、一つよりも多いしきい値に対応し得る。たとえば、心拍数の生理学的パラメータは、心拍数の上限値を表す第１しきい値、および、心拍数の下限値を表す第２しきい値を有し得る。しきい値は、対応する生理学的パラメータが、異常状態、致命的状態、緊急状況などを表し得る場合に依存して決定され得る。
【００１５】
上記回路機構は更に、生理学的パラメータおよびエクササイズ動作の推奨案に対応する通知を出力するように構成され得る。上記通知は上記回路機構により、エクササイズ監視装置１０４と通信するグラフィックディスプレイを介して視覚的に、エクササイズ監視装置１０４と通信するスピーカを介して聴覚的に、または、両方にて、出力され得る。上記回路機構は更に、ユーザ１１０が実施すべきエクササイズ動作を推奨するように構成され得る。推奨されるエクササイズ動作は、エクササイズ監視装置１０４のメモリ内に記憶されたエクササイズ動作であり得る。上記推奨案はまた、ユーザ１１０が一切のエクササイズ動作の実施を停止することの推奨も含み得る。
【００１６】
本開示内容の幾つかの見地において、エクササイズ監視装置１０４は、一つ以上のエクササイズ動作に基づき、乗り物の操舵制御、加速制御、および、減速制御のうちの少なくとも一つを作動させ得る複数のアクチュエータを含む。上記複数のアクチュエータは、巡航制御、自動操舵などの乗り物の自律機能性を補足する乗り物１０２の制御を作動させ得る。たとえば、乗り物１０２は、乗り物１０２が一定の平均速度を維持しながら先行乗り物の後方に平均距離を維持するという自律巡航制御に設定され得る。上記複数のアクチュエータは、ユーザ１１０がエクササイズ動作を介し乗り物１０２の内部構造と相互作用してエクササイズ動作の強度に基づき乗り物１０２を加速および／または減速させ得るという速度制御に対応する速度制御アクチュエータを含み得る。エクササイズ監視装置１０４の回路機構を介した乗り物の制御および作動は、本明細書において更に説明される。
【００１７】
座席１０６は、乗り物１０２内に配置されると共に、ユーザ１１０がエクササイズ動作を実施するのを支援するために種々のモードで利用され得る。その故に、座席１０６は、静的モード、スプリング負荷モードなどに設定され得る。座席１０６のモードは、ユーザが種々のエクササイズ動作を実施して、エクササイズ監視装置１０４を介して乗り物１０２を作動させることを支援し得る。たとえば、ユーザ１１０が、座席１０６に接触し続けながら、乗り物１０２の床部に直交する垂直方向に動いて懸垂のエクササイズ動作を実施できるように、座席１０６はスプリング負荷モードに設定され得る。別の例において、ユーザ１１０が、座席１０６に接触し続けながら、乗り物１０２の床部と平行な長手方向に動いてボート漕ぎのエクササイズ動作を実施できるように、座席１０６はスプリング負荷モードに設定され得る。
【００１８】
操舵輪１０８は、乗り物１０２内に配置されると共に、ユーザ１１０がエクササイズ動作を実施するのを支援するために種々のモードで利用され得る。その故に、操舵輪１０８は、静的モード、スプリング負荷モードなどに設定され得る。操舵輪のモードは、ユーザが種々のエクササイズ動作を実施して、上記エクササイズ監視装置を介して乗り物１０２を作動させることを支援し得る。たとえば、ユーザが、操舵輪１０８および座席１０６の両方に接触し続けながら、操舵輪１０８の長手方向に動いてボート漕ぎのエクササイズ動作を実施できるように、操舵輪１０８はスプリング負荷モードに設定され得る。
【００１９】
ネットワーク１１２は、一つ以上のネットワーク１１２を表すと共に、乗り物１０２およびエクササイズ監視装置１０４に接続される。ネットワーク１１２は、Ｅｔｈｅｒｎｅｔ（登録商標）、ＬＡＮのような有線ネットワーク、または、公知である他の任意の有線形態の通信を介して通信し得る。ネットワーク１１２はまた、ＷｉＦｉ、Ｂｌｕｅｔｏｏｔｈ（登録商標）、ＥＤＧＥ、３Ｇおよび４Ｇ無線セルラシステムなどのセルラネットワーク、赤外線のような無線ネットワーク、または、公知である他の任意の無線形態の通信を介して通信し得る。
【００２０】
図２は、本開示内容の幾つかの見地に係る、エクササイズシステムデータワークフロー２００の例示的概略図である。エクササイズシステムデータワークフロー２００は、エクササイズ動作データの獲得、乗り物１０２を作動させるためのエクササイズ動作データの活用、生理学的パラメータの監視、および、生理学的パラメータに基づくエクササイズ動作推奨案の出力を記述している。ユーザ１１０は、エクササイズ監視装置１０４の回路機構により検出され得るエクササイズ動作２０２を実施する。エクササイズ動作は、座席１０６および操舵輪１０８を利用してユーザ１１０により実施され得る。座席１０６および操舵輪１０８は、静的、スプリング負荷などのようなモードに設定され得る。エクササイズ監視装置１０４の回路機構は、エクササイズ動作２０２の存在を検出すると共に、実施されているエクササイズ動作２０４を決定する。上記回路機構は、乗り物１０２の内部構造との相互作用を介してエクササイズ動作２０２を検出し得る。上記内部回路機構は、一つ以上の検出されたエクササイズ動作２０２に基づいて乗り物１０２の操舵制御、加速制御および減速制御のうちの少なくとも一つを作動させるように構成された複数のアクチュエータを含み得る。エクササイズ監視装置１０４の回路機構は、上記エクササイズ動作に対応するデータを獲得すると共に、データをエクササイズ動作の訓練用実例と比較し得る。訓練用実例は、エクササイズ監視装置１０４のメモリ内に記憶され得ると共に、エクササイズ動作が検出されたときにアクセスされ得る。
【００２１】
エクササイズ監視装置１０４の回路機構は、実施されているエクササイズ動作の強度レベル２０６を決定するように構成され得る。エクササイズ動作の強度レベル２０６は、乗り物１０２を所定速度にて作動させる２０８ように利用され得る。たとえば、ボート漕ぎのエクササイズ動作は、乗り物１０２の加速度を増大させるためにユーザ１１０により実施され得る。ユーザ１１０のボート漕ぎ動作の強度は、ユーザ１１０が操舵輪１０８を長手方向に、および／または、座席１０６を長手方向に、物理的に作動させるボート漕ぎ動作速度に対応し得る。ユーザ１１０のボート漕ぎ動作速度は、乗り物１０２の加速度が増大される速度に対応し得る。その故に、上記回路機構は、ユーザ１１０がランニングのエクササイズ動作を実施したときに、ユーザ１１０のボート漕ぎ動作速度を監視するように構成され得る。上記回路機構は、決定されたボート漕ぎ動作速度を使用して、乗り物１０２の加速度をボート漕ぎ動作速度に対応する所定値まで増大し得る。
【００２２】
別の例において、乗り物１０２を減速させるためにユーザ１１０は懸垂のエクササイズ動作を実施し得る。この例において、ユーザ１１０が懸垂のエクササイズ動作を実施する時間長さが測定され得る。幾つかの見地において、上記回路機構は、座席１０８がスプリング負荷モードに固定されたときに座席の垂直移動に基づき、懸垂のエクササイズ動作を決定し得る。他の見地において、上記回路機構は、座席１０８が静的モードにあるときにユーザ１００の垂直移動に基づき、懸垂のエクササイズ動作を決定し得る。その故に、上記回路機構は、ユーザ１１０が懸垂のエクササイズ動作をもはや実施していないことが検出されるまで、または、乗り物１０２が完全な停止状態に減速されるまで、乗り物１０２を継続的に減速させるように構成され得る。幾つかの見地において、単一のエクササイズ動作の所定の高強度に基づいて乗り物１０２を加速し、且つ、所定の低強度に基づいて乗り物１０２を減速するために、乗り物１０２の内部構造において単一のエクササイズ動作が実施され得る。
【００２３】
エクササイズ監視装置１０４の回路機構は、エクササイズ動作を実施しているユーザ１１０の生理学的パラメータ２１０を監視し得る。生理学的パラメータには、心拍数、血圧、呼吸速度などが含まれる。本開示内容の幾つかの見地において、上記回路機構は、エクササイズ動作が検出されたときに自動的に複数の生理学的パラメータ２１０を監視する。他の見地において、上記回路機構は、一つ以上の生理学的パラメータの測定をユーザ１１０が回路機構に対して催促したときに、生理学的パラメータ２１０を監視する。上記回路機構は、上記座席、操舵輪および／またはウェアラブルデバイスに配置された一つ以上の物理的接触センサを介して生理学的パラメータ２１２を監視し得る。たとえば、上記回路機構は、操舵輪に配置された物理的接触センサを介して、乗り物１０２のユーザ１１０の心拍数を継続的に検出し得る。本開示内容の幾つかの見地において、上記回路機構は、操舵輪における物理的接触センサを介し生理学的パラメータ２１２を監視して、生理学的パラメータに基づく聴覚的フィードバックおよび／または触覚的フィードバックの形態で通知をウェアラブルデバイスに伝達する。別の例において、上記回路機構は、上記ウェアラブルデバイスに配置された物理的接触センサを介して、ウェアラブルデバイスにおいて生理学的パラメータを監視し得る。
【００２４】
測定された生理学的パラメータ２１０に基づき、上記回路機構は、エクササイズ動作の推奨案２１２を提供し得る。推奨されたエクササイズ動作２１２は、ユーザ１１０が過剰にエクササイズすること、極度の疲労を感じることなどを阻止する意図を備え得る。さらに、推奨されたエクササイズ動作２１２は、測定された生理学的パラメータが、容認可能な生理学的パラメータ値の所定しきい値未満であると決定されたか否かについてのユーザの認識を促進しようとすることができる。上記回路機構は更に、上記生理学的パラメータおよびエクササイズ動作の推奨案２１２に対応する通知を出力するように構成され得る。上記通知は、上記回路機構により、エクササイズ監視装置１０４と通信するグラフィックディスプレイを介して視覚的に、エクササイズ監視装置１０４と通信するスピーカを介して聴覚的に、または、両方にて、出力され得る。
【００２５】
図３は、本開示内容の幾つかの見地に係る、エクササイズ動作検出および応答プロセス３００のアルゴリズム的フローチャートである。エクササイズ動作検出および応答プロセス３００は、エクササイズ監視装置１０４の回路機構が実施されているエクササイズ動作を監視しエクササイズ動作に基づいて乗り物１０２を作動させるプロセスを記述している。ステップ３０２において、上記回路機構によりエクササイズ動作が検出されたか否かが決定される。上記回路機構は、座席１０６および／または操舵輪１０８のような乗り物１０２の内部構造との物理的相互作用を介してエクササイズ動作を検出するように構成され得る。上記回路機構によりエクササイズ動作が検出されて、ステップ３０２における「Ｙｅｓ」に帰着したなら、エクササイズ動作検出および応答プロセス３００はステップ３０４に進む。上記回路機構によりエクササイズ動作が検出されず、ステップ３０２における「Ｎｏ」に帰着したなら、上記エクササイズ動作検出および応答プロセスは、ステップ３０２を反復する。
【００２６】
ステップ３０４にて、エクササイズ監視装置１０４の回路機構は、いずれのエクササイズ動作が実施されているかを決定する。上記回路機構は、乗り物１０２の内部構造との相互作用を介してエクササイズ動作２０４を決定し得る。たとえば、ボート漕ぎのエクササイズ動作がユーザ１１０により実施され得る。ユーザ１１０のボート漕ぎ動作は、長手方向における操舵輪１０８、および／または、長手方向における座席１０６の物理的な作動に対応し得る。エクササイズ監視装置１０４の回路機構は、エクササイズ動作に対応するデータを獲得し、データをエクササイズ動作の訓練用実例と比較する、ように構成され得る。上記訓練用実例は、エクササイズ監視装置１０４のメモリ内に記憶され得ると共に、エクササイズ動作が検出されたときに比較のためにアクセスされ得る。
【００２７】
ステップ３０６において、上記回路機構は、ユーザ１１０により実施されているエクササイズ動作の強度レベルを決定する。一例において、乗り物１０２の加速度を増大するために、ユーザ１１０がボート漕ぎのエクササイズ動作を実施し得る。ボート漕ぎ動作の強度は、ユーザ１１０が操舵輪１０８を長手方向に、且つ／又は、座席１０６を長手方向に物理的に作動させるボート漕ぎ動作速度に対応し得る。ユーザ１１０のボート漕ぎ動作速度は、乗り物１０２の加速度が増大される速度に対応し得る。その故に、上記回路機構は、ユーザ１１０がボート漕ぎのエクササイズ動作を実施したときに、ユーザ１１０のボート漕ぎ動作速度を監視するように構成され得る。上記回路機構は、決定されたボート漕ぎ動作速度を使用して、乗り物１０２の加速度をボート漕ぎ動作速度に対応する所定値まで増大し得る。
【００２８】
ステップ３０８において、上記回路機構は、エクササイズ動作の強度に基づいて乗り物１０２を作動させる。ユーザ１１０がエクササイズ動作を実施している時間長さに亙り所定速度にて乗り物１０２を作動させるのに、上記エクササイズ動作の強度レベルが利用され得る。ボート漕ぎ動作の例において、ユーザ１１０のボート漕ぎ動作速度は、乗り物１０２の加速度が増大される速度に対応し得る。幾つかの見地において、上記回路機構は、乗り物１０２の加速度を腕振り速度に対応する所定値まで増大させるために、決定されたボート漕ぎ動作速度を利用し得る。上記腕振り速度は、乗り物１０２のユーザ１１０がボート漕ぎのエクササイズ動作を実施している間に自身の腕を振る速度に対応し得る。他の見地において、上記回路機構は、乗り物１０２の加速度を、脚部の伸張または収縮速度に対応する所定値まで増大させるために、決定されたボート漕ぎ動作速度を利用し得る。脚部の伸張または収縮速度は、乗り物１０２のユーザ１１０がボート漕ぎのエクササイズ動作を実施している間に自身の脚部を伸張または収縮する速度に対応し得る。別の例において、乗り物１０２は、乗り物１０２が、一定の平均速度を維持することに加え、先行乗り物の後方に平均距離を維持するように構成されるという自律巡航制御に設定され得る。複数のアクチュエータは、ユーザ１１０がエクササイズ動作を通し乗り物１０２の内部構造と相互作用してエクササイズ動作の強度に基づき乗り物１０２を加速または減速させ得るという速度制御に対応する速度制御アクチュエータを含み得る。幾つかの見地において、単一のエクササイズ動作の所定の高強度に基づいて乗り物１０２を加速し、且つ、所定の低強度に基づいて乗り物１０２を減速するために、乗り物１０２の内部構造において単一のエクササイズ動作が実施され得る。他の見地において、単一のエクササイズ動作の所定の低強度に基づいて乗り物１０２を加速し、且つ、所定の高強度に基づいて乗り物１０２を減速するために、乗り物１０２の内部構造において単一のエクササイズ動作が実施され得る。
【００２９】
図４は、本開示内容の幾つかの見地に係る生理学的パラメータ監視および応答プロセス４００のアルゴリズム的フローチャートである。生理学的パラメータ監視および応答プロセス４００は、エクササイズ監視装置１０４の回路機構が、エクササイズ動作を実施しているユーザ１１０の生理学的パラメータを監視し、監視された生理学的パラメータに基づいてエクササイズ動作の推奨案を提供するというプロセスを記述している。ステップ４０２において、上記回路機構によりエクササイズ動作が検出されたか否かが決定される。上記回路機構は、座席１０６および／または操舵輪１０８のような乗り物１０２の内部構造との物理的相互作用を介してエクササイズ動作を検出するように構成され得る。上記回路機構によりエクササイズ動作が検出されて、ステップ４０２における「Ｙｅｓ」に帰着したなら、生理学的パラメータ監視および応答プロセス４００はステップ４０４に進む。上記回路機構によりエクササイズ動作が検出されず、ステップ４０２における「Ｎｏ」に帰着したなら、生理学的パラメータ監視および応答プロセス４００は、ステップ４０２を反復する。
【００３０】
ステップ４０４において、エクササイズ監視装置１０４の回路機構は、エクササイズ動作を実施しているユーザ１１０の生理学的パラメータを監視し得る。上記生理学的パラメータには、心拍数、血圧、呼吸速度などが含まれる。本開示内容の幾つかの見地において、上記回路機構は、エクササイズ動作が検出されたときに自動的に複数の生理学的パラメータを監視する。他の見地において、上記回路機構は、一つ以上の生理学的パラメータの測定をユーザ１１０が回路機構に対して催促したときに、生理学的パラメータを監視する。上記回路機構は、上記座席、操舵輪および／またはウェアラブルデバイスに配置された一つ以上の物理的接触センサを介して生理学的パラメータを監視し得る。
【００３１】
ステップ４０６において、上記生理学的パラメータが所定しきい値を満足するか否かが決定される。エクササイズ監視装置１０４の回路機構は、監視された生理学的パラメータを、所定しきい値と比較する。上記回路機構は、生理学的パラメータの各々に対するしきい値を含む。上記しきい値は、対応する生理学的パラメータに依存して、下限値、上限値、および／または、範囲であり得る。更に、各生理学的パラメータは、一つより多いしきい値に対応し得る。たとえば、心拍数の生理学的パラメータは、心拍数の上限値を表す第１しきい値、および、心拍数の下限値を表す第２しきい値を有し得る。しきい値は、対応する生理学的パラメータが、異常状態、致命的状態、緊急状況などを表し得る場合に依存して決定され得る。上記生理学的パラメータが上記所定しきい値を満足して、ステップ４０６における「Ｙｅｓ」に帰着したなら、生理学的パラメータ監視および応答プロセス４００はステップ４０４に進む。そうではなく、上記生理学的パラメータが上記所定しきい値を満足せずに、ステップ４０６における「Ｎｏ」に帰着したなら、生理学的パラメータ監視および応答プロセス４００は、ステップ４０８に進む。
【００３２】
ステップ４０８において、エクササイズ監視装置１０４の回路機構は、監視された生理学的パラメータに基づき、エクササイズ動作の推奨案を提供する。上記回路機構はユーザ１１０に対し、通知を介し、監視された生理学的パラメータが上記所定しきい値を満足しないことを知らせる。上記通知は上記回路機構により、エクササイズ監視装置１０４と通信するグラフィックディスプレイを介して視覚的に、エクササイズ監視装置１０４と通信するスピーカを介して聴覚的に、または、両方にて、出力され得る。上記回路機構は更に、ユーザ１１０がエクササイズ動作を実施するのを推奨するように構成され得る。推奨されるエクササイズ動作は、エクササイズ監視装置１０４のメモリ内に記憶されたエクササイズ動作であり得る。上記推奨案はまた、ユーザ１１０が一切のエクササイズ動作の実施を停止することの推奨を含み得る。
【００３３】
図５は、幾つかの例示的見地に係るエクササイズ監視装置のハードウェアブロック図を示している。図５において、エクササイズ監視装置１０４は、これまで記載された／これから記載されるプロセスを実施するＣＰＵ５００を含む。プロセスのデータおよび命令は、メモリ５０２内に記憶され得る。これらのプロセスおよび命令はまた、ハードドライブ（ＨＤＤ）のような記憶媒体ディスク５０４、または、可搬式の記憶媒体に記憶され得るか、遠隔的に記憶され得る。更に、特許請求の範囲に記載の進歩は、本発明のプロセスの命令が記憶されるコンピュータ可読媒体の形態により制限されない。たとえば、上記命令は、ＣＤ、ＤＶＤ上に、フラッシュメモリ、ＲＡＭ、ＲＯＭ、ＰＲＯＭ、ＥＰＲＯＭ、ＥＥＰＲＯＭ、ハードディスク、または、エクササイズ監視装置１０４が通信するサーバまたはコンピュータのような他の任意の処理デバイス内に記憶され得る。
【００３４】
更に、特許請求の範囲に記載の進歩は、ＣＰＵ５００、および、Ｍｉｃｒｏｓｏｆｔ  Ｗｉｎｄｏｗｓ（登録商標）７、ＵＮＩＸ（登録商標）、Ｓｏｌａｒｉｓ、ＬＩＮＵＸ、Ａｐｐｌｅ  ＭＡＣ−ＯＳ、および、当業者に公知の他のシステムのようなオペレーティングシステムと協働して実行される、ユーティリティアプリケーション、バックグラウンドデーモン、もしくは、オペレーティングシステムのコンポーネント、またはこれらの組み合わせとして提供され得る。
【００３５】
エクササイズ監視装置１０４を実現するためのハードウェア要素は、当業者に公知の種々の回路機構要素により実現され得る。たとえば、ＣＰＵ５００は、米国のインテル社からのＸｅｎｏｎもしくはＣｏｒｅプロセッサ、米国のＡＭＤ社からのＯｐｔｅｒｏｎプロセッサ、または、当業者により認識され得る他のプロセッサ形式であり得る。代替的に、ＣＰＵ５００は、当業者により理解されるように、ＦＰＧＡ、ＡＳＩＣ、ＰＬＤ上に、または、個別的な論理回路を用いて、実現され得る。更に、ＣＰＵ５００は、協働的に並列に動作して上述の本発明のプロセスの命令を実施する複数のプロセッサとして実現され得る。
【００３６】
図５のエクササイズ動作装置は、ネットワーク１１２とインタフェースで接続するための、米国のインテル社からのＩｎｔｅｌ  Ｅｔｈｅｒｎｅｔ（登録商標）  ＰＲＯネットワークインタフェースカードのようなネットワークコントローラ５０６も含んでいる。理解され得るように、ネットワーク１１２は、インターネットのようなパブリックネットワーク、または、ＬＡＮもしくはＷＡＮネットワークのような私設ネットワーク、または、それらの任意の組合せであり得ると共に、ＰＳＴＮもしくはＩＳＤＮサブネットワークも含み得る。ネットワーク１１２はまた、Ｅｔｈｅｒｎｅｔ（登録商標）ネットワークのような有線式とされ得るか、または、ＥＤＧＥ、３Ｇおよび４Ｇ無線セルラシステムなどのセルラネットワークのような無線式とされ得る。上記無線ネットワークはまた、ＷｉＦｉ、Ｂｌｕｅｔｏｏｔｈ（登録商標）、または、公知である他の任意の形態の通信であり得る。
【００３７】
エクササイズ監視装置１０４は更に、ディスプレイ５１０（たとえば、ヒューレットパッカード社のＨＰＬ２４４５ｗ  ＬＣＤモニタ）とインタフェースで接続するためのディスプレイコントローラ５０８（たとえば、米国のＮＶＩＤＩＡ社からのＮＶＩＤＩＡ  ＧｅＦｏｒｃｅ  ＧＴＸまたはＱｕａｄｒｏグラフィックスアダプタ）を含んでいる。汎用Ｉ／Ｏインタフェース５１２は、ディスプレイ５１０上の、または、それとは別体的なタッチスクリーンパネル５１６とインタフェースで接続する。汎用Ｉ／Ｏインタフェースはまた、プリンタおよびスキャナなどの種々の周辺機器５１８（たとえば、ヒューレットパッカード社からのＯｆｆｉｃｅＪｅｔまたはＤｅｓｋＪｅｔ）にも接続される。
【００３８】
スピーカ／マイクロホン５２２とインタフェースで接続することにより音および／または音楽を提供するために、エクササイズ監視装置１０４には、サウンドコントローラ５２０（たとえば、Ｃｒｅａｔｉｖｅ社からのＳｏｕｎｄ  Ｂｌａｓｔｅｒ  Ｘ−Ｆｉ  Ｔｉｔａｎｉｕｍ）も設けられる。
【００３９】
汎用記憶装置コントローラ５２４は、記憶媒体ディスク５０４を通信バス５２６に接続し、通信バス５２６は、エクササイズ監視装置１０４の全ての構成要素を相互接続するための、ＩＳＡ、ＥＩＳＡ、ＶＥＳＡ、ＰＣＩ、または、類似物であり得る。本明細書において、ディスプレイ５１０、ならびに、ディスプレイコントローラ５０８、記憶装置コントローラ５２４、ネットワークコントローラ５０６、サウンドコントローラ５２０、および、汎用Ｉ／Ｏインタフェース５１２の一般的な特徴および機能性の説明は、簡潔さのために省略される、と言うのも、これらの特徴は公知だからである。
【００４０】
本開示内容に関して記載された例示的な回路要素は、他の要素により置き換えられ得ると共に、本明細書中に提供された例とは異なるように構造化され得る。更に、本明細書中に記載された特徴を実施するように構成された回路機構は複数の回路ユニット（たとえば、チップ）に実現され得るか、または、これらの特徴は、図６に示されるように単一のチップセット上の回路機構に組み合わされ得る。
【００４１】
図６は、本開示内容の幾つかの例示的見地に係る、データ処理システム６００のハードウェアブロック図を示している。データ処理システムは、例示的見地のプロセスを実現するコードまたは命令が配置され得るコンピュータの一例である。
【００４２】
図６において、データ処理システム６００は、ノースブリッジおよびメモリコントローラハブ（ＮＢ／ＭＣＨ）６２５ならびにサウスブリッジおよび入力／出力（Ｉ／Ｏ）コントローラハブ（ＳＢ／ＩＣＨ）６２０を含むハブアーキテクチャを採用している。中央処理ユニット（ＣＰＵ）６３０はＮＢ／ＭＣＨ６２５に接続される。ＮＢ／ＭＣＨ６２５はまた、メモリバスを介してメモリ６４５に、且つ、アクセラレーテッドグラフィックポート（ＡＧＰ）を介してグラフィックプロセッサ６５０にも接続される。ＮＢ／ＭＣＨ６２５はまた、（たとえば、ユニファイドメディアインタフェースまたはダイレクトメディアインタフェースなどの）内部バスを介してＳＢ／ＩＣＨ６２０に接続される。ＣＰＵ処理ユニット６３０は、一つ以上のプロセッサを含み得ると共に、さらには、一つ以上の異種のプロセッサシステムを使用して実現され得る。
【００４３】
図７は、本開示内容の幾つかの例示的見地に係るＣＰＵのハードウェアブロック図を示している。たとえば、図７は、ＣＰＵ６３０の一実施形態を示している。一実施形態において、命令レジスタ７３８は、高速メモリ７４０から命令を読出す。これらの命令の少なくとも一部は、制御ロジック７３６により命令レジスタ７３８からフェッチされると共に、ＣＰＵ６３０の命令セットアーキテクチャに従って解釈される。命令の一部は、レジスタ７３２に対しても向けられ得る。一実施形態において、命令はハードワイヤード方式に従って復号化され、別の実施形態において、命令は、複数のクロックパルスに亙り逐次的に適用される一群のＣＰＵ構成信号に命令を変換するマイクロプログラムに従って復号化される。命令がフェッチされて復号化された後、命令は演算論理ユニット（ＡＬＵ）７３４を用いて実行され、ＡＬＵ７３４は、レジスタ７３２から値をロードするとともに、命令に従ってロードされた値に対する論理的および数学的な演算を実施する。これらの操作からの結果は、レジスタ内にフィードバックされ、且つ／又は、高速メモリ７４０に記憶され得る。幾つかの実施形態に依れば、ＣＰＵ６３０の命令セットアーキテクチャは、縮小命令セットアーキテクチャ、複合命令セットアーキテクチャ、ベクトルプロセッサアーキテクチャ、超長命令語アーキテクチャを使用し得る。更に、ＣＰＵ６３０は、フォンノイマンモデルまたはハーバードモデルに基づき得る。ＣＰＵ６３０は、デジタル信号プロセッサ、ＦＰＧＡ、ＡＳＩＣ、ＰＬＡ、ＰＬＤ、または、ＣＰＬＤであり得る。更に、ＣＰＵ６３０は、インテル社もしくはＡＭＤ社によるｘ８６プロセッサ；ＡＲＭプロセッサ、パワーアーキテクチャプロセッサ（たとえばＩＢＭ社による）；サンマイクロシステムズ社もしくはオラクル社によるＳＰＡＲＣアーキテクチャプロセッサ；または、他の公知のＣＰＵアーキテクチャ、であり得る。
【００４４】
再び図６を参照すると、データ処理システム６００は、ＳＢ／ＩＣＨ６２０がシステムバスを介し、Ｉ／Ｏバス、読出専用メモリ（ＲＯＭ）６５６、ユニバーサルシリアルバス（ＵＳＢ）ポート６６４、フラッシュバイナリ入出力システム（ＢＩＯＳ）６６８、および、グラフィックコントローラ６５８に結合されることを含み得る。ＳＢ／ＩＣＨ  ＹＹＹに対しては、ＰＣＩバス６６２を介してＰＣＩ／ＰＣＩｅデバイスも結合され得る。
【００４５】
ＰＣＩデバイスには、たとえば、ノートブックコンピュータに対するＥｔｈｅｒｎｅｔ（登録商標）アダプタ、アドインカード、および、ＰＣカードが含まれ得る。ハードディスクドライブ６６０およびＣＤ−ＲＯＭ６６６は、たとえば、インテグレーテッドデバイスエレクトロニクス（ＩＤＥ）、または、シリアルアドバンストテクノロジアタッチメント（ＳＡＴＡ）インタフェースを使用し得る。一実施形態において、Ｉ／ＯバスはスーパーＩ／Ｏ（ＳＩＯ）デバイスを含み得る。
【００４６】
更に、ＳＢ／ＩＣＨ６２０には、システムバスを介して、ハードディスクドライブ（ＨＤＤ）６６０および光ドライブ６６６も結合され得る。一実施形態において、システムバストにはＩ／Ｏバスを介して、パラレルポート６７８およびシリアルポート６７６が接続され得る。ＳＢ／ＩＣＨ６２０には、ＳＡＴＡもしくはＰＡＴＡ、Ｅｔｈｅｒｎｅｔ（登録商標）ポート、ＩＳＡバス、ＬＰＣブリッジ、ＳＭＢｕｓ、ＤＭＡコントローラ、および、オーディオコーデックのような大容量記憶装置コントローラを用いて、他の周辺機器およびデバイスが接続され得る。
【００４７】
本明細書中に記載された機能および特徴は、システムの種々の分散構成要素によっても実行され得る。たとえば、一つ以上のプロセッサがこれらのシステム機能を実行することができ、その場合、プロセッサは、ネットワークにおいて通信する複数の構成要素に亙り分散される。分散される構成要素には、種々のヒューマンインタフェースおよび通信デバイス（たとえば、ディスプレイモニタ、スマートフォン、タブレット、個人用デジタルアシスタント（ＰＤＡ））に加え、処理を分担し得る一台以上のクライアントおよびサーバマシンが含まれる。上記ネットワークは、ＬＡＮもしくはＷＡＮのようなプライベートネットワーク、または、インターネットのようなパブリックネットワークであり得る。上記システムに対する入力は、直接的なユーザ入力を介して受信され得ると共に、リアルタイムで、または、バッチプロセスとして遠隔的に受信され得る。
【００４８】
上述のハードウェアの説明は、本明細書中に記載された機能性を実施するための対応構造の非限定的な例である。
【００４９】
多数の実施形態が記載されてきた。しかし、本開示内容の精神および範囲から逸脱せずに、種々の改変がなされ得ることが理解されるであろう。たとえば、開示された技術の段階が異なる順序で実施されたとしても、または、開示されたシステムにおける構成要素が異なる様式で組み合わされたとしても、または、構成要素が他の構成要素により置き換えられもしくは補完されたとしても、好適な成果が達成され得る。本明細書中に記載された機能、プロセスおよびアルゴリズムは、ハードウェア、または、ハードウェアにより実行されるソフトウェア（本明細書中に記載された機能、プロセスおよびアルゴリズムを実行するためにプログラムコードおよび／またはコンピュータ命令を実行するように構成されたコンピュータプロセッサおよび／またはプログラマブル回路を含む）において実施され得る。付加的に、一実施形態は、記載されたのとは同一でないモジュールまたはハードウェア上で実施され得る。従って、他の実施形態は、特許請求の範囲に記載され得る範囲内にある。
【図１】
2020185989.tif 000003
【図２】
2020185989.tif 000004
【図３】
2020185989.tif 000005
【図４】
2020185989.tif 000006
【図５】
2020185989.tif 000007
【図６】
2020185989.tif 000008
【図７】
2020185989.tif 000009
【手続補正書】
【提出日】令和2年7月29日(2020.7.29)
【手続補正１】
【補正対象書類名】明細書
【補正対象項目名】００２０
【補正方法】変更
【補正の内容】
【００２０】
図２は、本開示内容の幾つかの見地に係る、エクササイズシステムデータワークフロー２００の例示的概略図である。エクササイズシステムデータワークフロー２００は、エクササイズ動作データの獲得、乗り物１０２を作動させるためのエクササイズ動作データの活用、生理学的パラメータの監視、および、生理学的パラメータに基づくエクササイズ動作推奨案の出力を記述している。ユーザ１１０は、エクササイズ監視装置１０４の回路機構により検出され得るエクササイズ動作２０２を実施する。エクササイズ動作は、座席１０６および操舵輪１０８を利用してユーザ１１０により実施され得る。座席１０６および操舵輪１０８は、静的、スプリング負荷などのようなモードに設定され得る。エクササイズ監視装置１０４の回路機構は、エクササイズ動作２０２の存在を検出すると共に、実施されているエクササイズ動作２０４を決定する。上記回路機構は、乗り物１０２の内部構造との相互作用を介してエクササイズ動作２０２を検出し得る。上記回路機構は、一つ以上の検出されたエクササイズ動作２０２に基づいて乗り物１０２の操舵制御、加速制御および減速制御のうちの少なくとも一つを作動させるように構成された複数のアクチュエータを含み得る。エクササイズ監視装置１０４の回路機構は、上記エクササイズ動作に対応するデータを獲得すると共に、データをエクササイズ動作の訓練用実例と比較し得る。訓練用実例は、エクササイズ監視装置１０４のメモリ内に記憶され得ると共に、エクササイズ動作が検出されたときにアクセスされ得る。
【手続補正２】
【補正対象書類名】明細書
【補正対象項目名】００２１
【補正方法】変更
【補正の内容】
【００２１】
エクササイズ監視装置１０４の回路機構は、実施されているエクササイズ動作の強度レベル２０６を決定するように構成され得る。エクササイズ動作の強度レベル２０６は、乗り物１０２を所定速度にて作動させる２０８ように利用され得る。たとえば、ボート漕ぎのエクササイズ動作は、乗り物１０２の加速度を増大させるためにユーザ１１０により実施され得る。ユーザ１１０のボート漕ぎ動作の強度は、ユーザ１１０が操舵輪１０８を長手方向に、および／または、座席１０６を長手方向に、物理的に作動させるボート漕ぎ動作速度に対応し得る。ユーザ１１０のボート漕ぎ動作速度は、乗り物１０２の加速度が増大される速度に対応し得る。その故に、上記回路機構は、ユーザ１１０がボート漕ぎのエクササイズ動作を実施したときに、ユーザ１１０のボート漕ぎ動作速度を監視するように構成され得る。上記回路機構は、決定されたボート漕ぎ動作速度を使用して、乗り物１０２の加速度をボート漕ぎ動作速度に対応する所定値まで増大し得る。
【手続補正３】
【補正対象書類名】明細書
【補正対象項目名】００２２
【補正方法】変更
【補正の内容】
【００２２】
別の例において、乗り物１０２を減速させるためにユーザ１１０は懸垂のエクササイズ動作を実施し得る。この例において、ユーザ１１０が懸垂のエクササイズ動作を実施する時間長さが測定され得る。幾つかの見地において、上記回路機構は、座席１０６がスプリング負荷モードに固定されたときに座席の垂直移動に基づき、懸垂のエクササイズ動作を決定し得る。他の見地において、上記回路機構は、座席１０６が静的モードにあるときにユーザ１１０の垂直移動に基づき、懸垂のエクササイズ動作を決定し得る。その故に、上記回路機構は、ユーザ１１０が懸垂のエクササイズ動作をもはや実施していないことが検出されるまで、または、乗り物１０２が完全な停止状態に減速されるまで、乗り物１０２を継続的に減速させるように構成され得る。幾つかの見地において、単一のエクササイズ動作の所定の高強度に基づいて乗り物１０２を加速し、且つ、所定の低強度に基づいて乗り物１０２を減速するために、乗り物１０２の内部構造において単一のエクササイズ動作が実施され得る。
【手続補正４】
【補正対象書類名】明細書
【補正対象項目名】００２３
【補正方法】変更
【補正の内容】
【００２３】
エクササイズ監視装置１０４の回路機構は、エクササイズ動作を実施しているユーザ１１０の生理学的パラメータ２１０を監視し得る。生理学的パラメータには、心拍数、血圧、呼吸速度などが含まれる。本開示内容の幾つかの見地において、上記回路機構は、エクササイズ動作が検出されたときに自動的に複数の生理学的パラメータ２１０を監視する。他の見地において、上記回路機構は、一つ以上の生理学的パラメータの測定をユーザ１１０が回路機構に対して催促したときに、生理学的パラメータ２１０を監視する。上記回路機構は、上記座席、操舵輪および／またはウェアラブルデバイスに配置された一つ以上の物理的接触センサを介して生理学的パラメータ２１０を監視し得る。たとえば、上記回路機構は、操舵輪に配置された物理的接触センサを介して、乗り物１０２のユーザ１１０の心拍数を継続的に検出し得る。本開示内容の幾つかの見地において、上記回路機構は、操舵輪における物理的接触センサを介し生理学的パラメータ２１０を監視して、生理学的パラメータに基づく聴覚的フィードバックおよび／または触覚的フィードバックの形態で通知をウェアラブルデバイスに伝達する。別の例において、上記回路機構は、上記ウェアラブルデバイスに配置された物理的接触センサを介して、ウェアラブルデバイスにおいて生理学的パラメータを監視し得る。
【手続補正５】
【補正対象書類名】明細書
【補正対象項目名】００３３
【補正方法】変更
【補正の内容】
【００３３】
図５は、幾つかの例示的見地に係るエクササイズ監視装置のハードウェアブロック図を示している。図５において、エクササイズ監視装置１０４は、これまで記載された／これから記載されるプロセスを実施するＣＰＵ５００を含む。プロセスのデータおよび命令は、メモリ５０２内に記憶され得る。これらのプロセスのデータおよび命令はまた、ハードドライブ（ＨＤＤ）のような記憶媒体ディスク５０４、または、可搬式の記憶媒体に記憶され得るか、遠隔的に記憶され得る。更に、特許請求の範囲に記載の進歩は、本発明のプロセスの命令が記憶されるコンピュータ可読媒体の形態により制限されない。たとえば、上記命令は、ＣＤ、ＤＶＤ上に、フラッシュメモリ、ＲＡＭ、ＲＯＭ、ＰＲＯＭ、ＥＰＲＯＭ、ＥＥＰＲＯＭ、ハードディスク、または、エクササイズ監視装置１０４が通信するサーバまたはコンピュータのような他の任意の処理デバイス内に記憶され得る。
【手続補正６】
【補正対象書類名】明細書
【補正対象項目名】００３５
【補正方法】変更
【補正の内容】
【００３５】
エクササイズ監視装置１０４を実現するためのハードウェア要素は、当業者に公知の種々の回路機構要素により実現され得る。たとえば、ＣＰＵ５００は、米国のインテル社からのＸｅｏｎもしくはＣｏｒｅプロセッサ、米国のＡＭＤ社からのＯｐｔｅｒｏｎプロセッサ、または、当業者により認識され得る他のプロセッサ形式であり得る。代替的に、ＣＰＵ５００は、当業者により理解されるように、ＦＰＧＡ、ＡＳＩＣ、ＰＬＤ上に、または、個別的な論理回路を用いて、実現され得る。更に、ＣＰＵ５００は、協働的に並列に動作して上述の本発明のプロセスの命令を実施する複数のプロセッサとして実現され得る。
【手続補正７】
【補正対象書類名】明細書
【補正対象項目名】００４６
【補正方法】変更
【補正の内容】
【００４６】
更に、ＳＢ／ＩＣＨ６２０には、システムバスを介して、ハードディスクドライブ（ＨＤＤ）６６０および光ドライブ６６６も結合され得る。一実施形態において、システムバスにはＩ／Ｏバスを介して、パラレルポート６７８およびシリアルポート６７６が接続され得る。ＳＢ／ＩＣＨ６２０には、ＳＡＴＡもしくはＰＡＴＡ、Ｅｔｈｅｒｎｅｔ（登録商標）ポート、ＩＳＡバス、ＬＰＣブリッジ、ＳＭＢｕｓ、ＤＭＡコントローラ、および、オーディオコーデックのような大容量記憶装置コントローラを用いて、他の周辺機器およびデバイスが接続され得る。
【手続補正８】
【補正対象書類名】明細書
【補正対象項目名】００４９
【補正方法】変更
【補正の内容】
【００４９】
多数の実施形態が記載されてきた。しかし、本開示内容の精神および範囲から逸脱せずに、種々の改変がなされ得ることが理解されるであろう。たとえば、開示された技術の段階が異なる順序で実施されたとしても、または、開示されたシステムにおける構成要素が異なる様式で組み合わされたとしても、または、構成要素が他の構成要素により置き換えられもしくは補完されたとしても、好適な成果が達成され得る。本明細書中に記載された機能、プロセスおよびアルゴリズムは、ハードウェア、または、ハードウェアにより実行されるソフトウェア（本明細書中に記載された機能、プロセスおよびアルゴリズムを実行するためにプログラムコードおよび／またはコンピュータ命令を実行するように構成されたコンピュータプロセッサおよび／またはプログラマブル回路を含む）において実施され得る。付加的に、一実施形態は、記載されたのとは同一でないモジュールまたはハードウェア上で実施され得る。従って、他の実施形態は、特許請求の範囲に記載され得る範囲内にある。
本開示は以下を含む。
［例１］
乗り物用エクササイズシステムであって、
少なくとも一つの座席および操舵輪を含む一つ以上の内部構造を含む乗り物と通信するように構成された少なくとも一つのエクササイズ監視装置
を備え、上記少なくとも一つのエクササイズ監視装置は処理回路機構を含み、上記処理回路機構は、
上記一つ以上の内部構造において実施される一つ以上のエクササイズ動作を検出し、
上記検出された一つ以上のエクササイズ動作に基づいて上記乗り物を作動させ、
上記検出された一つ以上のエクササイズ動作の一つ以上の生理学的パラメータを監視し、
上記一つ以上の生理学的パラメータに基づいて、将来のエクササイズ動作に関する推奨案を決定し、
上記一つ以上の生理学的パラメータおよび上記決定された推奨案に対応する一つ以上の通知を出力する、
ように構成される、乗り物用エクササイズシステム。
［例２］
上記乗り物は、自動車、トラック、バン、または、スポーツユーティリティ車である、例１記載の乗り物用エクササイズシステム。
［例３］
上記検出された一つ以上のエクササイズ動作は、自転車漕ぎ動作、ボート漕ぎ動作、脚部の引き上げ動作、前後への操舵輪の押し引き動作、上半身を反らす動作、腹筋の収縮動作、懸垂動作、および、ランニング動作のうちの少なくとも一つを含む、例１記載の乗り物用エクササイズシステム。
［例４］
上記少なくとも一つの座席および上記操舵輪は、静的モードおよびスプリング負荷モードの少なくとも一方において上記検出された一つ以上のエクササイズ動作を実施するように構成される、例１記載の乗り物用エクササイズシステム。
［例５］
上記一つ以上の生理学的パラメータは、心拍数、血圧および呼吸速度のうちの少なくとも一つを含む、例１記載の乗り物用エクササイズシステム。
［例６］
上記エクササイズ監視装置は、上記検出された一つ以上のエクササイズ動作に基づいて上記乗り物の操舵制御、加速制御および減速制御のうちの少なくとも一つを作動させるように構成された複数のアクチュエータを更に備える、例１記載の乗り物用エクササイズシステム。
［例７］
上記回路機構は更に、上記少なくとも一つの座席、上記操舵輪、および、運転者により装着可能な少なくとも一つのデバイスのうちの少なくとも一つに配置された一つ以上の物理的接触センサを介して上記一つ以上の生理学的パラメータを検出するように構成される、例１記載の乗り物用エクササイズシステム。
［例８］
上記推奨された将来のエクササイズ動作は、上記検出された一つ以上のエクササイズ動作を停止または変更するとの推奨案である、例１記載の乗り物用エクササイズシステム。
［例９］
上記一つ以上の通知は、上記少なくとも一つのエクササイズ監視装置と通信するグラフィックディスプレイを介して視覚的に、且つ、少なくとも一つのスマートメニュー装置と通信するスピーカを介して聴覚的に、出力される、例１記載の乗り物用エクササイズシステム。
［例１０］
乗り物においてエクササイズを監視する方法であって、
少なくとも一つのエクササイズ監視装置の処理回路機構を介して、上記乗り物の一つ以上の内部構造において実施される一つ以上のエクササイズ動作を検出する段階と、
上記検出された一つ以上のエクササイズ動作に基づき、上記回路機構を介して、上記乗り物を作動させる段階と、
上記回路機構を介し、上記検出された一つ以上のエクササイズ動作の一つ以上の生理学的パラメータを監視する段階と、
上記一つ以上の生理学的パラメータに基づいて、将来のエクササイズ動作に関する推奨案を決定する段階と、
上記一つ以上の生理学的パラメータおよび上記決定された推奨案に対応する一つ以上の通知を出力する段階と、
を備える方法。
［例１１］
上記乗り物は、自動車、トラック、バン、または、スポーツユーティリティ車である、例１０記載の方法。
［例１２］
上記検出された一つ以上のエクササイズ動作は、自転車漕ぎ動作、ボート漕ぎ動作、脚部の引き上げ動作、前後への操舵輪の押し引き動作、上半身を反らす動作、腹筋の収縮動作、懸垂動作、および、ランニング動作のうちの少なくとも一つを含む、例１０記載の方法。
［例１３］
上記乗り物は、静的モードおよびスプリング負荷モードの少なくとも一方において上記検出された一つ以上のエクササイズ動作を実施するように構成された少なくとも一つの座席および操舵輪の少なくとも一方を含む、例１０記載の方法。
［例１４］
上記一つ以上の生理学的パラメータは、心拍数、血圧および呼吸速度のうちの少なくとも一つを含む、例１０記載の方法。
［例１５］
上記検出された一つ以上のエクササイズ動作に基づいて上記乗り物の操舵制御、加速制御および減速制御のうちの少なくとも一つを作動させる段階を更に備える、例１０記載の方法。
［例１６］
上記少なくとも一つの座席、上記操舵輪、および、運転者により装着可能な少なくとも一つのデバイスのうちの少なくとも一つに配置された一つ以上の物理的接触センサを介して上記一つ以上の生理学的パラメータを検出する段階を更に備える、例１０記載の方法。
［例１７］
上記推奨された将来のエクササイズ動作は、上記検出された一つ以上のエクササイズ動作を停止または変更するとの推奨案である、例１０記載の方法。
［例１８］
上記一つ以上の通知は、上記少なくとも一つのエクササイズ監視装置と通信するグラフィックディスプレイを介して視覚的に、且つ、少なくとも一つのスマートメニュー装置と通信するスピーカを介して聴覚的に、出力される、例１０記載の方法。
［例１９］
エクササイズ監視装置であって、
処理回路機構
を具備し、上記処理回路機構は、
一つ以上のエクササイズ動作を検出し、
上記検出された一つ以上のエクササイズ動作に基づいて少なくとも一台の乗り物を作動させ、
上記検出された一つ以上のエクササイズ動作の一つ以上の生理学的パラメータを監視し、
上記一つ以上の生理学的パラメータに基づいて、将来のエクササイズ動作に関する推奨案を決定し、
上記一つ以上の生理学的パラメータおよび上記決定された推奨案に対応する一つ以上の通知を出力する、
ように構成される、エクササイズ監視装置。
［例２０］
上記検出された一つ以上のエクササイズ動作に基づいて上記乗り物の操舵制御、加速制御および減速制御のうちの少なくとも一つを作動させるように構成された複数のアクチュエータを更に備える、例１９記載のエクササイズ監視装置。
【手続補正９】
【補正対象書類名】特許請求の範囲
【補正対象項目名】全文
【補正方法】変更
【補正の内容】
【特許請求の範囲】
【請求項１】
乗り物用エクササイズシステムであって、
少なくとも一つの座席および操舵輪を含む一つ以上の内部構造を含む乗り物と通信するように構成された少なくとも一つのエクササイズ監視装置
を備え、上記少なくとも一つのエクササイズ監視装置は処理回路機構を含み、上記処理回路機構は、
上記一つ以上の内部構造において実施される一つ以上のエクササイズ動作を検出し、
上記検出された一つ以上のエクササイズ動作に基づいて上記乗り物を作動させ、
上記検出された一つ以上のエクササイズ動作の一つ以上の生理学的パラメータを監視し、
上記一つ以上の生理学的パラメータに基づいて、実行されたエクササイズ動作の変更案を決定し、
上記一つ以上の生理学的パラメータおよび上記決定された変更案に対応する一つ以上の通知を出力する、
ように構成され、
上記エクササイズ監視装置は、上記検出された一つ以上のエクササイズ動作に基づいて上記乗り物の操舵制御、加速制御および減速制御のうちの少なくとも一つを作動させるように構成された複数のアクチュエータを更に備え、
上記乗り物は、自律乗り物の自律機能性を有するように構成され、
上記アクチュエータは、上記乗り物の自律機能性を補足する上記乗り物の制御を作動させるように構成される、
乗り物用エクササイズシステム。
【請求項２】
上記乗り物は、自動車、トラック、バン、または、スポーツユーティリティ車である、請求項１記載の乗り物用エクササイズシステム。
【請求項３】
上記検出された一つ以上のエクササイズ動作は、自転車漕ぎ動作、ボート漕ぎ動作、脚部の引き上げ動作、前後への操舵輪の押し引き動作、上半身を反らす動作、腹筋の収縮動作、懸垂動作、および、ランニング動作のうちの少なくとも一つを含む、請求項１記載の乗り物用エクササイズシステム。
【請求項４】
上記一つ以上の生理学的パラメータは、心拍数、血圧および呼吸速度のうちの少なくとも一つを含む、請求項１記載の乗り物用エクササイズシステム。
【請求項５】
上記処理回路機構は更に、上記少なくとも一つの座席、上記操舵輪、および、運転者により装着可能な少なくとも一つのデバイスのうちの少なくとも一つに配置された一つ以上の物理的接触センサを介して上記一つ以上の生理学的パラメータを検出するように構成される、請求項１記載の乗り物用エクササイズシステム。
【請求項６】
上記一つ以上の通知は、上記少なくとも一つのエクササイズ監視装置と通信するグラフィックディスプレイを介して視覚的に、且つ、少なくとも一つのスマートメニュー装置と通信するスピーカを介して聴覚的に、出力される、請求項１記載の乗り物用エクササイズシステム。
【請求項７】
乗り物においてエクササイズを監視する方法であって、
少なくとも一つのエクササイズ監視装置の処理回路機構を介して、上記乗り物の一つ以上の内部構造において実施される一つ以上のエクササイズ動作を検出する段階と、
上記検出された一つ以上のエクササイズ動作に基づき、上記処理回路機構を介して、上記乗り物を作動させる段階と、
上記処理回路機構を介し、上記検出された一つ以上のエクササイズ動作の一つ以上の生理学的パラメータを監視する段階と、
上記一つ以上の生理学的パラメータに基づいて、実行されたエクササイズ動作の変更案を決定する段階と、
上記一つ以上の生理学的パラメータおよび上記決定された変更案に対応する一つ以上の通知を出力する段階と、
上記検出された一つ以上のエクササイズ動作に基づいて上記乗り物の操舵制御、加速制御および減速制御のうちの少なくとも一つを複数のアクチュエータにより作動させる段階と、
を備え、
上記乗り物は、自律乗り物の自律機能性を有するように構成され、
上記アクチュエータにより作動させる段階は、上記乗り物の自律機能性を補足する上記乗り物の制御を作動させる段階を備える、
方法。
【請求項８】
上記乗り物は、自動車、トラック、バン、または、スポーツユーティリティ車である、請求項７記載の方法。
【請求項９】
上記検出された一つ以上のエクササイズ動作は、自転車漕ぎ動作、ボート漕ぎ動作、脚部の引き上げ動作、前後への操舵輪の押し引き動作、上半身を反らす動作、腹筋の収縮動作、懸垂動作、および、ランニング動作のうちの少なくとも一つを含む、請求項７記載の方法。
【請求項１０】
上記一つ以上の生理学的パラメータは、心拍数、血圧および呼吸速度のうちの少なくとも一つを含む、請求項７記載の方法。
【請求項１１】
少なくとも一つの座席、操舵輪、および、運転者により装着可能な少なくとも一つのデバイスのうちの少なくとも一つに配置された一つ以上の物理的接触センサを介して上記一つ以上の生理学的パラメータを検出する段階を更に備える、請求項７記載の方法。
【請求項１２】
上記一つ以上の通知は、上記少なくとも一つのエクササイズ監視装置と通信するグラフィックディスプレイを介して視覚的に、且つ、少なくとも一つのスマートメニュー装置と通信するスピーカを介して聴覚的に、出力される、請求項７記載の方法。
【請求項１３】
エクササイズ監視装置であって、
処理回路機構
を具備し、上記処理回路機構は、
一つ以上のエクササイズ動作を検出し、
上記検出された一つ以上のエクササイズ動作に基づいて少なくとも一台の乗り物を作動させ、
上記検出された一つ以上のエクササイズ動作の一つ以上の生理学的パラメータを監視し、
上記一つ以上の生理学的パラメータに基づいて、エクササイズ動作の変更案を決定し、
上記一つ以上の生理学的パラメータおよび上記決定された変更案に対応する一つ以上の通知を出力する、
ように構成され、
上記エクササイズ監視装置は、上記検出された一つ以上のエクササイズ動作に基づいて上記乗り物の操舵制御、加速制御および減速制御のうちの少なくとも一つを作動させるように構成された複数のアクチュエータを更に備え、
上記乗り物は、自律乗り物の自律機能性を有するように構成され、
上記アクチュエータは、上記乗り物の自律機能性を補足する上記乗り物の制御を作動させるように構成される、
エクササイズ監視装置。
【外国語明細書】
2020185989000001.pdf